(57)【要約】【課題】  カメラやプリンタの電源の状態に応じてより多くの印刷が可能となるようなシステムを使用者に提供する。使用者に対して印刷途中で残容量が無くなって印刷を失敗することによる紙やインクの無駄をなくす。【解決手段】  電源がＡＣ電源の場合には、通常のプリント速度でプリントを行う。電源がＡＣ電源の場合には、通常のプリント速度より速い高速プリントでプリントを行う。電源が電池の場合、第一の閾値以下の時には、通常のプリント速度より遅い低速プリントを行う。電源が電池の場合、第二の閾値以下の時には、最低現在プリントしている一枚を確実にプリントし終える速度でプリントを行う。カメラの電源とプリンタの電源の両方についてそれぞれ制御する。【選択図】  図１
2006150733.tif 000002
【特許請求の範囲】
【請求項１】
撮像した静止画像及び或いは動画像を記録媒体に記録及び再生表示する画像処理装置と、静止画像及び或いは動画像の一部分を印刷媒体に印刷する画像印刷装置とにおいて、前記画像処理装置と前記画像印刷装置との接続状態で、前記画像処理装置の電源の状態及び或いは前記画像印刷装置の電源の状態に基づいて、画像印刷装置の印刷速度を変更することを特徴とする画像処理装置システム。
【請求項２】
前記画像処理装置及び或いは前記画像印刷装置の電源が商用ＡＣ電源の時は、前記画像印刷装置の印刷速度を変更しないことを特徴とする請求項１記載の画像処理装置システム。
【請求項３】
前記画像処理装置及び或いは前記画像印刷装置の電源が商用ＡＣ電源の時は、前記画像印刷装置の印刷速度を速くすることを特徴とする請求項１記載の画像処理装置システム。
【請求項４】
前記画像処理装置及び或いは前記画像印刷装置の電源が電池の時、残量が第１の閾値以下であったら、前記画像印刷装置の印刷速度を遅くすることを特徴とする請求項１記載の画像処理装置システム。
【請求項５】
前記画像処理装置及び或いは前記画像印刷装置の電源が電池の時、残量が第２の閾値以下であったら、前記画像印刷装置の印刷を完全に終了することの可能な印刷速度にすることを特徴とする請求項１記載の画像処理装置システム。
【発明の詳細な説明】
【技術分野】
【０００１】
本発明は、静止画像や動画像を撮像、記録、再生する画像処理装置と画像処理装置に記録した画像を印刷する画像印刷装置とを含めた画像処理装置システムに関する。
【背景技術】
【０００２】
従来、例えば、特開平10-126724号公報には、静止画像や動画像を記録再生する電子カメラ等の画像処理装置と、記録した画像を印刷するプリンター等の画像印刷装置とを通信ケーブル等で接続することによって、撮影、記録した画像を紙等の印刷媒体に印刷することが可能であるシステムは既に市販されている。これらのシステムは、パソコン等を介さずに、電子カメラから直接プリンターに印刷することが可能なため、使用者にとって簡便性が高い。特に、プリント速度が早いプリンターはプリント終了まで待ち時間が少なくなるため使用者にとって有益である。
【特許文献１】特開平10-126724号公報
【発明の開示】
【発明が解決しようとする課題】
【０００３】
このような従来の電子カメラ等の画像処理装置とプリンター等の画像印刷装置においては、プリンターのプリント速度が早いと消費電流、消費電力が多くなるため、電池で駆動する場合には印刷できる枚数が少なくなるという問題点があった。
【０００４】
また、プリンターのプリント途中に電池の残量がなくなると最後までプリントアウトできずに、紙、インクの無駄になるという問題点があった。
【課題を解決するための手段】
【０００５】
本発明に係る画像処理装置に於いては、第１に、撮像した静止画像及び或いは動画像を記録媒体に記録及び再生表示する画像処理装置と、静止画像及び或いは動画像の一部分を印刷媒体に印刷する画像印刷装置とにおいて、前記画像処理装置と前記画像印刷装置との接続状態で、前記画像処理装置の電源の状態及び或いは前記画像印刷装置の電源の状態に基づいて、画像印刷装置の印刷速度を変更することを特徴とする。
【０００６】
第２に、前記画像処理装置及び或いは前記画像印刷装置の電源が商用ＡＣ電源の時は、前記画像印刷装置の印刷速度を変更しないことを特徴とする。
【０００７】
第３に、前記画像処理装置及び或いは前記画像印刷装置の電源が商用ＡＣ電源の時は、前記画像印刷装置の印刷速度を速くすることを特徴とする。
【０００８】
第４に、前記画像処理装置及び或いは前記画像印刷装置の電源が電池の時、残量が第１の閾値以下であったら、前記画像印刷装置の印刷速度を遅くすることを特徴とする。
【０００９】
第５に、前記画像処理装置及び或いは前記画像印刷装置の電源が電池の時、残量が第２の閾値以下であったら、前記画像印刷装置の印刷を完全に終了することの可能な印刷速度にすることを特徴とする。
【００１０】
上記手段により、プリンターのプリント速度が早いと消費電流、消費電力が多くなるため、電池で駆動する場合には印刷できる枚数が少なくなるという問題点のない画像処理装置システムを提供することが可能となる。
【００１１】
また、プリンターのプリント途中に電池の残量がなくなると最後までプリントアウトできずに、紙、インクの無駄になるという問題点のない画像処理装置システムを提供することが可能となる。
【発明の効果】
【００１２】
以上の説明から容易に理解できるように、本発明によれば、第１に、撮像した静止画像及び或いは動画像を記録媒体に記録及び再生表示する画像処理装置と、静止画像及び或いは動画像の一部分を印刷媒体に印刷する画像印刷装置とにおいて、前記画像処理装置と前記画像印刷装置との接続状態で、前記画像処理装置の電源の状態及び或いは前記画像印刷装置の電源の状態に基づいて、画像印刷装置の印刷速度を変更することを特徴とする画像処理装置システムを提供することが可能となる。
【００１３】
第２に、前記画像処理装置及び或いは前記画像印刷装置の電源が商用ＡＣ電源の時は、前記画像印刷装置の印刷速度を変更しないことを特徴とする画像処理装置システムを提供することが可能となる。
【００１４】
第３に、前記画像処理装置及び或いは前記画像印刷装置の電源が商用ＡＣ電源の時は、前記画像印刷装置の印刷速度を速くすることを特徴とする画像処理装置システムを提供することが可能となる。
【００１５】
第４に、前記画像処理装置及び或いは前記画像印刷装置の電源が電池の時、残量が第１の閾値以下であったら、前記画像印刷装置の印刷速度を遅くすることを特徴とする画像処理装置システムを提供することが可能となる。
【００１６】
第５に、前記画像処理装置及び或いは前記画像印刷装置の電源が電池の時、残量が第２の閾値以下であったら、前記画像印刷装置の印刷を完全に終了することの可能な印刷速度にすることを特徴とする画像処理装置システムを提供することが可能となる。
【００１７】
上記手段により、プリンターのプリント速度が早いと消費電流、消費電力が多くなるため、電池で駆動する場合には印刷できる枚数が少なくなるという問題点のない画像処理装置システムを提供することが可能となる。
【００１８】
また、プリンターのプリント途中に電池の残量がなくなると最後までプリントアウトできずに、紙、インクの無駄になるという問題点のない画像処理装置システムを提供することが可能となる。
【発明を実施するための最良の形態】
【００１９】
（第１の実施例）
以下、図面を参照して本発明の実施例を説明する。
【００２０】
図１は、本発明の第１の実施例の構成を示す図である。
【００２１】
図１において、１００は画像処理装置である。
【００２２】
１０は光学像を電気信号に変換するＣＣＤやＣＭＯＳ等の撮像素子、及び、撮像素子のアナログ信号出力をディジタル信号に変換する撮像部である。１２は信号処理部であり、撮像部１０からのデータに対して所定の画素補間処理や色変換処理を行う。１４は信号処理部１２で処理されたデータを書き込むメモリ、及び或いは、撮影した静止画像や動画像を格納するためのメモリであり、所定枚数の静止画像や所定時間の動画像を格納するのに十分な記憶量を備えている。１６はＴＦＴ  ＬＣＤ等から成る画像表示部であり、メモリ１４に書き込まれた表示用の画像データは画像表示部１６により表示される。
【００２３】
２０は画像処理装置１００全体を制御するシステム制御回路である。
【００２４】
３０、３２、及び３６は、システム制御回路２０の各種の動作指示を入力するための操作手段であり、スイッチやダイアル、タッチパネル等の単数或いは複数の組み合わせで構成される。
【００２５】
ここで、これらの操作手段の具体的な説明を行う。
【００２６】
３０はモードスイッチで、撮影モード、再生モード、ダイレクトプリントモード等に切り替え設定することができる。３２はプリントスイッチで、画像印刷装置２００と接続された状態の時に、プリントスタート、プリントストップを指示することができる。３６は各種ボタンやタッチパネル等からなる操作部で、各種設定のオン、オフや各種切り替えを行うことができる。
【００２７】
４０は電源スイッチで、画像処理装置１００の電源オン、電源オフの各モードを切り替え設定することができる。また、画像処理装置１００に接続された記録媒体６０等の各種付属装置の電源オン、電源オフの設定も合わせて切り替え設定することができる。
【００２８】
５０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路２０の指示に基づいてＤＣ−ＤＣコンバータを制御し、必要な電圧を必要な期間、記録媒体を含む各部へ供給する。５２は電池やＡＣアダプター等からなる電源手段であり、画像処理装置１００の各部に必要な電力を供給する。また、画像印刷装置２００の接続時には、画像処理装置側の通信手段８０、画像印刷装置側の通信手段１４０を介して画像印刷装置２００の各部に必要な電力を供給することもできる。
【００２９】
６０はメモリカードやハードディスク等の記録媒体である。６２は記録媒体６０が装着されているか否かを検知する記録媒体着脱検知手段である。
【００３０】
７０は画像印刷装置が接続されているか否かを検知する画像印刷装置接続検知手段である。
【００３１】
８０は通信手段で、ＵＳＢ、ＩＥＥＥ１３９４等の各種通信機能を有し、画像印刷装置２００と接続することにより、ダイレクトプリントを行うことができる。また、図示しないパソコンと接続することにより、記録媒体６０に記録されている画像データ等をパソコンに送信したり、パソコンから各種データを受け取ったり、パソコンから画像処理装置１００を動作させたりすることができる。
【００３２】
２００は画像印刷装置である。
【００３３】
１１０は画像印刷装置２００全体を制御するシステム制御回路である。
【００３４】
１２０は画像処理装置１００から通信して送られてきた印刷画像データを格納、及び或いは、展開するメモリである。
【００３５】
１３０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路１１０の指示に基づいてＤＣ−ＤＣコンバータを制御し、必要な電圧を必要な期間、各部へ供給する。１３２は電池やＡＣアダプター等からなる電源手段であり、画像印刷装置２００の各部に必要な電力を供給する。また、画像処理装置１００の接続時には、画像印刷装置側の通信手段１４０、画像処理装置側の通信手段８０を介して画像処理装置１００の各部に必要な電力を供給することもできる。
【００３６】
１４０は通信手段で、ＵＳＢ、ＩＥＥＥ１３９４等の各種通信機能を有し、画像処理装置１００と接続することにより、ダイレクトプリントを行うことができる。また、図示しないパソコンと接続することにより、画像データ等をパソコンに送信したり、パソコンから各種データを受け取ったり、パソコンから画像印刷装置２００を動作させたりすることができる。
【００３７】
１５０はヘッド、センサー、モーター、給紙ローラー、用紙トレイ等からなるメカユニットである。
【００３８】
図２、図３を参照して、第１の実施例の動作を説明する。
【００３９】
図２及び図３は本発明の実施例の画像処理装置１００の主ルーチンのフローチャートを示す。
【００４０】
図２及び図３を用いて、画像処理装置１００の動作を説明する。
【００４１】
電池交換等の電源投入により、システム制御回路２０はフラグや制御変数等を初期化し、画像処理装置１００の各部において必要な所定の初期設定を行う（Ｓ１０１）。
【００４２】
システム制御回路２０は、電源スイッチ４０の設定位置を判断し、電源スイッチ４０が電源オフに設定されていたならば（Ｓ１０２）、各表示部の表示を終了状態に変更し、画像処理装置１００各部の不要な電源を遮断する等の所定の終了処理を行った後（Ｓ１０３）、Ｓ１０２に戻る。
【００４３】
電源スイッチ４０が電源オンに設定されていたならば（Ｓ１０２）、システム制御回路２０は、電源５０の残容量や動作状況が画像処理装置１００の動作に問題があるか否かを判断し（Ｓ１０４）、問題があるならば画像や音声により所定の警告表示を行った後に（Ｓ１０５）、Ｓ１０２に戻る。
【００４４】
電源５０に問題がないならば（Ｓ１０４）、システム制御回路２０はモードスイッチ３０の設定位置を判断し、モードスイッチ３０がダイレクトプリントモードに設定されていたならば（Ｓ１０６）、Ｓ１０８に進む。
【００４５】
モードスイッチ３０がその他のモードに設定されていたならば（Ｓ１０６）、システム制御回路２０は選択されたモードに応じた処理を実行し（Ｓ１０７）、処理を終えたならばＳ１０２に戻る。
【００４６】
システム制御回路２０は、記録媒体６０が装着されているかどうかの判断、記録媒体６０に記録された画像データの管理情報の取得、そして、記録媒体６０の動作状態が画像処理装置１００の動作、特に記録媒体に対する画像データの記録再生動作に問題があるか否かの判断を行い（Ｓ１０８）、問題があるならば画像や音声により所定の警告表示を行った後に（Ｓ１０５）、Ｓ１０２に戻る。
【００４７】
記録媒体６０が装着されているかどうかの判断、記録媒体６０に記録された画像データの管理情報の取得、そして、記録媒体６０の動作状態が画像処理装置１００の動作、特に記録媒体に対する画像データの記録再生動作に問題があるか否かの判断を行った結果（Ｓ１０８）、問題がないならば、Ｓ１０９に進む。
【００４８】
システム制御回路２０は、画像印刷装置２００が接続されているかどうかの判断を行い（Ｓ１０９）、問題があるならば画像や音声により所定の警告表示を行った後に（Ｓ１０５）、Ｓ１０２に戻る。
【００４９】
画像印刷装置２００が装着されているかどうかの判断を行った結果（Ｓ１０９）、問題がないならば、Ｓ１１０に進む。
【００５０】
システム制御回路２０は画像表示部１６を用いて画像や音声により画像処理装置１００の各種設定状態の表示を行う（Ｓ１１０）。
【００５１】
プリントスイッチ３２によりプリントスタート指示がなされていないならば（Ｓ１２１）、Ｓ１０２に戻る。
【００５２】
プリントスイッチ３２によりプリントスタート指示がなされていたならば（Ｓ１２１）、Ｓ１２２に進む。
【００５３】
画像処理装置１００のシステム制御回路２０は電源制御手段５０により電源５２がＡＣ電源であると判断されたならば（Ｓ１２２）、Ｓ１２４に進む。
【００５４】
電源５２が画像印刷装置２００の印刷動作に問題ないため、普通の印刷速度で印刷する通常プリントモードで（Ｓ１２４）、プリントスタートする（Ｓ１２６）。
【００５５】
画像処理装置１００のシステム制御回路２０は電源制御手段５０により電源５２が電池であると判断されたならば（Ｓ１２２）、Ｓ１２３に進む。
【００５６】
電源制御手段５０により電池等により構成される電源５２の残容量ＶBがＶ1以上であったならば（Ｓ１２３）、電源５２の残容量ＶBが画像印刷装置２００の印刷動作に問題ない容量であると判断し、普通の印刷速度で印刷する通常プリントモードで（Ｓ１２４）、プリントスタートする（Ｓ１２６）。
【００５７】
電源制御手段５０により電池等により構成される電源５２の残容量ＶBがＶ1未満であったならば（Ｓ１２３）、電源５２の残容量ＶBが画像印刷装置２００の通常速度での印刷動作に問題ある容量であると判断し、通常プリントモードより遅い速度で印刷する低速プリントモードで（Ｓ１２５）、プリントスタートする（Ｓ１２６）。
【００５８】
この場合、画像処理装置１００の電源５２が、画像処理装置側の通信手段８０、画像印刷装置側の通信手段１４０を介して画像印刷装置２００の電源にもなっている。
【００５９】
図４は、プリント速度と消費電流、電池電圧との関係を簡単に現した図を示す。
【００６０】
図４（ａ）のように消費電流の大きいプリント速度、つまりプリント速度の速い場合には、図４（ｂ）のように電池電圧が大きく降下するために、画像印刷装置２００の印刷動作が不可能になる電圧ＬＢを超えてしまい、印刷枚数が少なくなってしまう。
【００６１】
一方、図４（ｃ）のように消費電流の小さいプリント速度、つまりプリント速度の遅い場合には、図４（ｄ）のように電池電圧の降下を少なく抑えられるために、画像処理装置２００の印刷動作が不可能になる電圧ＬＢを超えることなく、印刷枚数を多くすることが可能となる。
【００６２】
（第２の実施例）
図５は、本発明の第２の実施例の画像処理装置１００及び画像印刷装置２００の主ルーチンのフローチャートの一部を示す。図５に至るまでのフローは第１の実施例の図２と同じである。
【００６３】
プリントスイッチ３２によりプリントスタート指示がなされていないならば（Ｓ１３１）、Ｓ１０２に戻る。
【００６４】
プリントスイッチ３２によりプリントスタート指示がなされていたならば（Ｓ１３１）、Ｓ１３２に進む。
【００６５】
画像印刷装置２００のシステム制御回路１１０は電源制御手段１３０により電源１３２がＡＣ電源であると判断されたならば（Ｓ１３２）、Ｓ１３４に進む。
電源１３２が画像印刷装置２００の印刷動作に問題ないため、普通の印刷速度で印刷する通常プリントモードで（Ｓ１３４）、プリントスタートする（Ｓ１３６）。
【００６６】
画像印刷装置２００のシステム制御回路１１０は電源制御手段１３０により電源１３２が電池であると判断されたならば（Ｓ１３２）、Ｓ１３３に進む。
【００６７】
電源制御手段１３０により電池等により構成される電源１３２の残容量ＶBがＶ2以上であったならば（Ｓ１３３）、電源１３２の残容量ＶBが画像印刷装置２００の印刷動作に問題ない容量であると判断し、普通の印刷速度で印刷する通常プリントモードで（Ｓ１３４）、プリントスタートする（Ｓ１３６）。
【００６８】
電源制御手段１３０により電池等により構成される電源１３２の残容量ＶBがＶ2未満であったならば（Ｓ１３３）、電源１３２の残容量ＶBが画像印刷装置２００の通常速度での印刷動作に問題ある容量であると判断し、通常プリントモードより遅い速度で印刷する低速プリントモードで（Ｓ１３５）、プリントスタートする（Ｓ１３６）。
【００６９】
この場合、画像印刷装置２００の電源１３２が画像印刷装置２００の電源になっている。
【００７０】
（第３の実施例）
図６は、本発明の第３の実施例の画像処理装置１００の主ルーチンのフローチャートの一部を示す。図６に至るまでのフローは第１の実施例の図２と同じである。
【００７１】
プリントスイッチ３２によりプリントスタート指示がなされていないならば（Ｓ１４１）、Ｓ１０２に戻る。
【００７２】
プリントスイッチ３２によりプリントスタート指示がなされていたならば（Ｓ１４１）、Ｓ１４２に進む。
【００７３】
画像処理装置１００のシステム制御回路２０は電源制御手段５０により電源５２がＡＣ電源であると判断されたならば（Ｓ１４２）、Ｓ１４４に進む。
【００７４】
電源５２が画像印刷装置２００の印刷動作に問題ないため、普通の印刷速度で印刷する通常プリントモードより速い速度で印刷する高速プリントモードで（Ｓ１４４）、プリントスタートする（Ｓ１４７）。
【００７５】
画像処理装置１００のシステム制御回路２０は電源制御手段５０により電源５２が電池であると判断されたならば（Ｓ１４２）、Ｓ１４３に進む。
【００７６】
電源制御手段５０により電池等により構成される電源５２の残容量ＶBがＶ1以上であったならば（Ｓ１４３）、電源５２の残容量ＶBが画像印刷装置２００の印刷動作に問題ない容量であると判断し、普通の印刷速度で印刷する通常プリントモードで（Ｓ１４５）、プリントスタートする（Ｓ１４７）。
【００７７】
電源制御手段５０により電池等により構成される電源５２の残容量ＶBがＶ1未満であったならば（Ｓ１４３）、電源５２の残容量ＶBが画像印刷装置２００の通常速度での印刷動作に問題ある容量であると判断し、通常プリントモードより遅い速度で印刷する低速プリントモードで（Ｓ１４６）、プリントスタートする（Ｓ１４７）。
【００７８】
この場合、画像処理装置１００の電源５２が、画像処理装置側の通信手段８０、画像印刷装置側の通信手段１４０を介して画像印刷装置２００の電源にもなっている。
【００７９】
（第４の実施例）
図７は、本発明の第４の実施例の画像処理装置１００及び画像印刷装置２００の主ルーチンのフローチャートの一部を示す。図７に至るまでのフローは第１の実施例の図２と同じである。
【００８０】
プリントスイッチ３２によりプリントスタート指示がなされていないならば（Ｓ１５１）、Ｓ１０２に戻る。
【００８１】
プリントスイッチ３２によりプリントスタート指示がなされていたならば（Ｓ１５１）、Ｓ１５２に進む。
【００８２】
画像印刷装置２００のシステム制御回路１１０は電源制御手段１３０により電源１３２がＡＣ電源であると判断されたならば（Ｓ１５２）、Ｓ１５４に進む。
【００８３】
電源１３２が画像印刷装置２００の印刷動作に問題ないため、普通の印刷速度で印刷する通常プリントモードより速い速度で印刷する高速プリントモードで（Ｓ１５４）、プリントスタートする（Ｓ１５７）。
【００８４】
画像印刷装置２００のシステム制御回路１１０は電源制御手段１３０により電源１３２が電池であると判断されたならば（Ｓ１５２）、Ｓ１５３に進む。
【００８５】
電源制御手段１３０により電池等により構成される電源１３２の残容量ＶBがＶ2以上であったならば（Ｓ１５３）、電源１３２の残容量ＶBが画像印刷装置２００の印刷動作に問題ない容量であると判断し、普通の印刷速度で印刷する通常プリントモードで（Ｓ１５５）、プリントスタートする（Ｓ１５７）。
【００８６】
電源制御手段１３０により電池等により構成される電源１３２の残容量ＶBがＶ2未満であったならば（Ｓ１５３）、電源１３２の残容量ＶBが画像印刷装置２００の通常速度での印刷動作に問題ある容量であると判断し、通常プリントモードより遅い速度で印刷する低速プリントモードで（Ｓ１５６）、プリントスタートする（Ｓ１５７）。
【００８７】
この場合、画像印刷装置２００の電源１３２が画像印刷装置２００の電源になっている。
【００８８】
（第５の実施例）
図８は、本発明の第５の実施例の画像処理装置１００の主ルーチンのフローチャートの一部を示す。図８に至るまでのフローは第１の実施例の図２と同じである。
【００８９】
プリントスイッチ３２によりプリントスタート指示がなされていないならば（Ｓ１６１）、Ｓ１０２に戻る。
【００９０】
プリントスイッチ３２によりプリントスタート指示がなされていたならば（Ｓ１６１）、Ｓ１６２に進む。
【００９１】
画像処理装置１００のシステム制御回路２０は電源制御手段５０により電源５２がＡＣ電源であると判断されたならば（Ｓ１６２）、Ｓ１６４に進む。
【００９２】
電源５２が画像印刷装置２００の印刷動作に問題ないため、普通の印刷速度で印刷する通常プリントモードで（Ｓ１６４）、プリントスタートする（Ｓ１６７）。
【００９３】
この時、第３の実施例で説明したように、画像処理装置１００の電源５２がＡＣ電源である場合は、高速プリントモードでプリントスタートする制御にすることも可能である。
【００９４】
画像処理装置１００のシステム制御回路２０は電源制御手段５０により電源５２が電池であると判断されたならば（Ｓ１６２）、Ｓ１６３に進む。
【００９５】
電源制御手段５０により電池等により構成される電源５２の残容量ＶBがＶ1以上であったならば（Ｓ１６３）、電源５２の残容量ＶBが画像印刷装置２００の印刷動作に問題ない容量であると判断し、普通の印刷速度で印刷する通常プリントモードで（Ｓ１６５）、プリントスタートする（Ｓ１６８）。
【００９６】
電源制御手段５０により電池等により構成される電源５２の残容量ＶBがＶ1未満であったならば（Ｓ１６３）、電源５２の残容量ＶBが画像印刷装置２００の通常速度での印刷動作に問題ある容量であると判断し、通常プリントモードより遅い速度で印刷する低速プリントモードで（Ｓ１６６）、プリントスタートする（Ｓ１６８）。
【００９７】
プリントスタート後（Ｓ１６８）、電源制御手段５０により電池等により構成される電源５２の残容量ＶBがＶ1以上であったならば（Ｓ１６９）、電源５２の残容量ＶBが画像印刷装置２００の印刷動作に問題ない容量であると判断し、普通の印刷速度で印刷する通常プリントモードで（Ｓ１７０）、プリントを継続し、Ｓ１７３に進む。
【００９８】
プリントスタート後（Ｓ１６８）、電源制御手段５０により電池等により構成される電源５２の残容量ＶBがＶ3以上Ｖ1未満であったならば（Ｓ１６９）、電源５２の残容量ＶBが画像印刷装置２００の通常速度での印刷動作に問題ある容量であると判断し、通常プリントモードより遅い速度で印刷する低速プリントモードで（Ｓ１７１）、プリントを継続し、Ｓ１７３に進む。
【００９９】
画像処理装置１００のシステム制御回路２０はプリントが終了したかどうかの判断を行い（Ｓ１７３）、プリントが終了していないならば、再び電源５２の残容量ＶBの確認を行う（Ｓ１６９）。
【０１００】
画像処理装置１００のシステム制御回路２０はプリントが終了したかどうかの判断を行い（Ｓ１７３）、プリントが終了したならば、Ｓ１７４に進み、プリント終了となる。
【０１０１】
プリントスタート後（Ｓ１６８）、電源制御手段５０により電池等により構成される電源５２の残容量ＶBがＶ3未満であったならば（Ｓ１６９）、電源５２の残容量ＶBが画像印刷装置２００の低速での印刷動作に問題ある容量であると判断し、現在印刷している一枚を確実に印刷し終えることのできる一枚プリントモードで（Ｓ１７２）、プリントを継続し、プリント終了（Ｓ１７４）となる。
【０１０２】
この場合、画像処理装置１００の電源５２が、画像処理装置側の通信手段８０、画像印刷装置側の通信手段１４０を介して画像印刷装置２００の電源にもなっている。
【０１０３】
（第６の実施例）
図９は、本発明の第６の実施例の画像処理装置１００及び画像印刷装置２００の主ルーチンのフローチャートの一部を示す。図９に至るまでのフローは第１の実施例の図２と同じである。
【０１０４】
プリントスイッチ３２によりプリントスタート指示がなされていないならば（Ｓ１８１）、Ｓ１０２に戻る。
【０１０５】
プリントスイッチ３２によりプリントスタート指示がなされていたならば（Ｓ１８１）、Ｓ１８２に進む。
【０１０６】
画像処理装置２００のシステム制御回路１１０は電源制御手段１３０により電源１３２がＡＣ電源であると判断されたならば（Ｓ１８２）、Ｓ１８４に進む。
【０１０７】
電源１３２が画像印刷装置２００の印刷動作に問題ないため、普通の印刷速度で印刷する通常プリントモードで（Ｓ１８４）、プリントスタートする（Ｓ１８７）。
【０１０８】
この時、第４の実施例で説明したように、画像処理装置２００の電源１３２がＡＣ電源である場合は、高速プリントモードでプリントスタートする制御にすることも可能である。
【０１０９】
画像印刷装置２００のシステム制御回路１１０は電源制御手段１３０により電源１３２が電池であると判断されたならば（Ｓ１８２）、Ｓ１８３に進む。
【０１１０】
電源制御手段１３０により電池等により構成される電源１３２の残容量ＶBがＶ2以上であったならば（Ｓ１８３）、電源１３２の残容量ＶBが画像印刷装置２００の印刷動作に問題ない容量であると判断し、普通の印刷速度で印刷する通常プリントモードで（Ｓ１８５）、プリントスタートする（Ｓ１８８）。
【０１１１】
電源制御手段１３０により電池等により構成される電源１３２の残容量ＶBがＶ2未満であったならば（Ｓ１８３）、電源１３２の残容量ＶBが画像印刷装置２００の通常速度での印刷動作に問題ある容量であると判断し、通常プリントモードより遅い速度で印刷する低速プリントモードで（Ｓ１８６）、プリントスタートする（Ｓ１８８）。
【０１１２】
プリントスタート後（Ｓ１８８）、電源制御手段１３０により電池等により構成される電源１３２の残容量ＶBがＶ2以上であったならば（Ｓ１８９）、電源１３２の残容量ＶBが画像印刷装置２００の印刷動作に問題ない容量であると判断し、普通の印刷速度で印刷する通常プリントモードで（Ｓ１９０）、プリントを継続し、Ｓ１９３に進む。
【０１１３】
プリントスタート後（Ｓ１８８）、電源制御手段１３０により電池等により構成される電源１３２の残容量ＶBがＶ4以上Ｖ2未満であったならば（Ｓ１８９）、電源１３２の残容量ＶBが画像印刷装置２００の通常速度での印刷動作に問題ある容量であると判断し、通常プリントモードより遅い速度で印刷する低速プリントモードで（Ｓ１９１）、プリントを継続し、Ｓ１９３に進む。
【０１１４】
画像処理装置１００のシステム制御回路２０はプリントが終了したかどうかの判断を行い（Ｓ１９３）、プリントが終了していないならば、再び電源１３２の残容量ＶBの確認を行う（Ｓ１８９）。
【０１１５】
画像処理装置１００のシステム制御回路２０はプリントが終了したかどうかの判断を行い（Ｓ１９３）、プリントが終了したならば、Ｓ１９４に進み、プリント終了となる。
【０１１６】
プリントスタート後（Ｓ１８８）、電源制御手段１３０により電池等により構成される電源１３２の残容量ＶBがＶ4未満であったならば（Ｓ１８９）、電源１３２の残容量ＶBが画像印刷装置２００の低速での印刷動作に問題ある容量であると判断し、現在印刷している一枚を確実に印刷し終えることのできる一枚プリントモードで（Ｓ１９２）、プリントを継続し、プリント終了（Ｓ１９４）となる。
【０１１７】
この場合、画像印刷装置２００の電源１３２が画像印刷装置２００の電源になっている。
【０１１８】
（第７の実施例）
図１０は、本発明の第７の実施例の構成を示す図である。
【０１１９】
第１の実施例の図１と画像処理装置１００の構成は同じである。
【０１２０】
１５２は用紙トレイに入っている用紙サイズが例えばカードサイズ、Ｌサイズ、ポストカードサイズ等のうちどのサイズであるかを検知する用紙サイズ検知手段である。用紙サイズ検知手段１５２を用い、電源の状態に応じてサイズを変更する制御を行うことが可能となる。つまり、電源が電池である場合は、残容量が少なくなってきたら、小さい用紙サイズに変更し、消費電力を少なくする制御を行うことが可能となる。
【０１２１】
１６０はプリント速度スイッチで、プリント速度を例えば高速プリントモード、通常プリントモード、低速プリントモード等に変更することができる。プリント速度スイッチによって使用者の意思でプリント速度を変更することが可能となる。
【０１２２】
画像印刷装置２００においてシステム制御回路１１０は、画像処理装置１００と通信して得られた画像データ、及び或いは、記録媒体１７０に記録されている画像データをメモリ１２０に格納し、画像表示部１２２に表示することが可能となる。また、印刷される画像のプレビューや次に印刷される画像の受け付け順等を画像表示部１２２に表示することが可能となる。これにより、プリントする前に印刷される画像を確認することが可能となり、どの画像までを印刷することができるか容易に判断することが可能となる。
【０１２３】
また、電源の状態に応じて画像表示部１２２に表示された画像等を消して消費電力を少なくする制御を行うことが可能となる。
【図面の簡単な説明】
【０１２４】
【図１】本発明の一実施例の構成ブロック図である。
【図２】本実施例の主ルーチンのフローチャートの一部である。
【図３】本実施例の主ルーチンのフローチャートの一部である。
【図４】本実施例のプリント速度と消費電流、電池電圧との関係を現した図である。
【図５】本発明の一実施例の主ルーチンのフローチャートの一部である。
【図６】本発明の一実施例の主ルーチンのフローチャートの一部である。
【図７】本発明の一実施例の主ルーチンのフローチャートの一部である。
【図８】本発明の一実施例の主ルーチンのフローチャートの一部である。
【図９】本発明の一実施例の主ルーチンのフローチャートの一部である。
【図１０】本発明の一実施例の構成ブロック図である。
【符号の説明】
【０１２５】
１０  撮像部
１２  信号処理部
１４  メモリ
１６  画像表示部
２０  システム制御回路
３０  モードスイッチ
３２  プリントスイッチ
３６  操作部
４０  電源スイッチ
５０  電源制御
５２  電源
６０  記録媒体
６２  記録媒体着脱検知
７０  画像印刷装置接続検知
８０  通信手段
１００  画像処理装置
１１０  システム制御回路
１２０  メモリ
１２２  画像表示部
１３０  電源制御
１３２  電源
１４０  通信手段
１５０  メカユニット
１５２  用紙サイズ検知
１６０  プリント速度スイッチ
１７０  記録媒体
２００  画像印刷装置
【図１】
2006150733.tif 000003
【図２】
2006150733.tif 000004
【図３】
2006150733.tif 000005
【図４】
2006150733.tif 000006
【図５】
2006150733.tif 000007
【図６】
2006150733.tif 000008
【図７】
2006150733.tif 000009
【図８】
2006150733.tif 000010
【図９】
2006150733.tif 000011
【図１０】
2006150733.tif 000012